(57)【要約】【課題】  従来の回転電機の固定子端部において、固定子端部における漏れ磁束が固定子コアを固定する固定子クランパに侵入し、固定子クランパで過電流損とヒステリシス損を発生し、回転電機の損失、温度上昇の要因となっていた。この問題点を解決するため、磁性体積層板の磁気シールドを設ける技術があるが、構造複雑で部品数が多く、コスト高であるという課題を解決するために、固定子クランパに発生する漏れ磁束による損失を低減した固定子構造を有する回転電機を提供する。【解決手段】  固定子クランパの固定子コアに対向する反対面側に漏れ磁束の浸透深さ以上の厚さを有するシールド板と、シールド板と固定子クランパとの間に絶縁物を設け、固定子クランパに侵入する漏れ磁束を低減する。【選択図】        図１
2006320100.tif 000002
【特許請求の範囲】
【請求項１】
固定子コアの軸方向端部に設けられ、円周方向に分割された複数個の固定子クランパと複数の締付ボルトとによって前記固定子コアが固定された回転電機の固定子において、前記各固定子クランパの前記固定子コアに対向する反対面側には、複数のシールド板が互いに周方向に狭い間隙を有して前記締付ボルトを介して前記固定子クランパに固定されており、前記シールド板の板厚が前記固定子コア端部における漏れ磁束の浸透深さ以上であるとともに、前記シールド板と前記固定子クランパとの間に、絶縁物が設けられていることを特徴とする回転電機の固定子。
【請求項２】
前記シールド板の外縁にノッチを設けたことを特徴とする請求項１に記載の回転電機の固定子。
【請求項３】
前記シールド板にスリットを設けたことを特徴とする請求項１に記載の回転電機の固定子。
【請求項４】
前記シールド板の数は、前記締付ボルトと同一の数であることを特徴とする請求項１に記載の回転電機の固定子。
【請求項５】
前記シールド板の数は、前記締付ボルトの円周方向間隔間に設けられた絶縁ボルトと前記締付ボルトの和と同一の数であり、前記シールド板は前記締付ボルトと合わせ前記絶縁ボルトを介して前記固定子クランパに取り付けられていることを特徴とする請求項１に記載の回転電機の固定子。
【請求項６】
前記絶縁物は、扇形状体の形状を有する複数の絶縁物で構成されているとともに、前記扇形状体の内径側から外径側に向かって前記固定子コアを冷却するよう冷却風の流れる複数の溝が設けられていることを特徴とする請求項１に記載の回転電機の固定子。
【請求項７】
前記絶縁物は、任意の平面形状体を有する複数の絶縁物で構成されているとともに、前記固定子コアを冷却する風路が形成されるよう配置されていることを特徴とする請求項１に記載の回転電機の固定子。
【発明の詳細な説明】
【技術分野】
【０００１】
この発明は、回転電機の固定子に関するものであり、特に水車発電機の固定子の端部構造に係るものである。
【背景技術】
【０００２】
図８、図９は、従来の回転電機の固定子の端部構造を示す図である。図９は図８の側面から見た図である。
図８、図９において、固定子１００は磁性材料薄板の積層構造からなる固定子コア１と、この固定子コア１の内周面に設けられた固定子スロット２と、前記固定子スロット２に納められた固定子コイルの端部３（図９では省略）と、固定子コア１の軸方向端面に設置され固定子コア１を軸方向に固定する歯形押え４と、前記歯形押え４の軸方向端面に設置され前記固定子コア１と前記歯形押え４を軸方向に固定する固定子クランパ５と、前記固定子コア１の外周側に設置され、軸方向に前記固定子コア１、歯形押え４、固定子クランパ５を貫通し軸方向両端から締付ける締付ボルト６とによって構成されている。
【０００３】
固定子クランパ５には、回転子コイル端部（図示せず）、及び固定子コイル端部３からの漏れ磁束が侵入する。この漏れ磁束は、回転子コイル、固定子コイルのＮ極から固定子クランパ５に侵入し、固定子クランパ５中を円周方向に通りＳ極へ至る。この時固定子クランパ５では磁束の侵入により損失が発生するが、この発生損失は以下の２つに大別できる。ひとつは固定子クランパ５に垂直に侵入する磁束により発生する渦電流損失であり、もうひとつは磁束が固定子クランパ５内を周方向に進むことにより発生する渦電流損失とヒステリシス損失である。通常固定子クランパ５は締付ボルト２〜３本あたり１セグメントとした扇形状体をなしこれを周方向に設置する構造としている。このため、１セグメントの幅が広く面積が大きく、磁束が固定子クランパ５に垂直に侵入することにより大きな渦電流損失が発生する。
【０００４】
上記のような従来構造により、固定子クランパ５で損失が発生し、回転電機の効率が低下する問題点があった。また、固定子クランパ５での損失が過大であると過熱する問題点があった。
上記のような問題点を解決する方法として、固定子コアの端部に磁性体の積層板で構成される磁束遮蔽を設ける方法が特に大容量のタービン発電機等で用いられている（例えば、特許文献１）。
【０００５】
【特許文献１】特開昭５６−０４９６３９号公報
【発明の開示】
【発明が解決しようとする課題】
【０００６】
しかしながら前記特許文献１に示された構成では、構造が複雑な上に部品点数が多く高価になる問題点があった。また、磁束遮蔽は幅の広い磁性材料を周方向にずらしながら軸方向に積んだ構造であるため、垂直に侵入する磁束により端面の面内で過電流損失が発生するという問題点を有している。
【０００７】
この発明は上記のような課題を解決にするためになされたもので、固定子端部での過電流損失を低減して回転電機の効率を向上させるとともに、固定子クランパの温度上昇を低減する固定子端部構造を備えた回転電機を提供することを目的とする。
【課題を解決するための手段】
【０００８】
この発明に係る回転電機の固定子は、固定子コアの軸方向端部に設けられ、円周方向に分割された複数個の固定子クランパと、複数の締付ボルトによって前記固定子コアが固定されており、各固定子クランパの固定子コアに対向する反対面側には、複数のシールド板が互いに狭い周方向の間隙を介して配置されており、シールド板の板厚が固定子コア端部における漏れ磁束の浸透深さ以上であるとともに、シールド板と固定子クランパとの間に、絶縁物が設けられているものである。
【発明の効果】
【０００９】
この発明の回転電機の固定子は、固定子クランパの固定子コアと接する反対面上に、複数のシールド板が互いに狭い周方向の間隙を介して配置されており、該シールド板の板厚が固定子コア端部における漏れ磁束の浸透深さ以上であるとともに、シールド板と固定子クランパとの間に絶縁物が設けられているので、シールド板によって固定子クランパに侵入する漏れ磁束は減少して過電流損失が低減し、固定子クランパの温度上昇が低減され、固定子の小型化がはかれるとともに回転電機の効率が向上する効果がある。
【発明を実施するための最良の形態】
【００１０】
実施の形態１．
以下、この発明の実施の形態１を図に基づいて説明する。
図１、図２は実施の形態１による回転電機固定子１００の端部を示す図であり、図２は図１の側面図である。図において、固定子コア１の横方向両端部には歯形押え４、固定子クランパ５が設けられ、これらは固定子コア１の外周部に配置された締付ボルト６によって締め付け、固定されている。
固定子クランパ５は、図２に示すように円周方向に分割された扇形状体をなしている。固定子コア１の内径側にはスロット２が設けられ、図２では図示省略した固定子コイルが挿入されている。この固定子コイルの端部３を図１に示す。
固定子クランパ５の前記固定子コア１に対向する反対側面には図２に示すように複数のシールド板７が互いに狭い間隔Ｓを介して配置されている。このシールド板７の個数は、図２に示す例では締付ボルト６と同数であり、後述する絶縁物８とともに、締付ボルト６により固定子クランパ５上に締め付け固定されている。
このように締付ボルト６と同数に分割されたシールド板７は固定子クランパ５の扇形状体が締付ボルト６の２〜３本当たりに１個となるよう形成されているので、それに比較して幅狭である。
シールド板７は固定子端部における漏れ磁束が浸透する厚さ以上の厚みを備えている。このシールド板に鉄系材料を用いた場合、浸透厚さは水車発電機等の電気装荷の回転電機の場合、１ｍｍ程度である。
【００１１】
次に動作について説明する。上記のような構造にすることにより、固定子コイル端部３、回転子コイル端部（図示せず）からの漏れ磁束はまずシールド板７に侵入する。この磁束がシールド板７に垂直に侵入することにより渦電流損失が発生するが、シールド板７の幅は固定子クランパ５の幅より狭いため、シールド板７がない場合と比べ面内の渦電流損失は減少する。通常固定子クランパ５は締付ボルト２〜３本あたり１セグメントとしているため、例えばシールド板７を前述したように締付ボルト１本当たり１個設置した場合、１セグメントの幅は約１／２から１／３に狭くなり渦電流損失は減少する。また、シールド板７と固定子クランパ５の間には絶縁物８が設置されているので、渦電流が固定子クランパ５の方に迂回して流れることはない。シールド板７に侵入した磁束は周方向に進み、これによりシールド板７で渦電流損失、ヒステリシス損失が発生するが、これは従来の固定子クランパで発生する損失と大差ない。しかしながら、シールド板７は漏れ磁束の浸透深さ以上の厚みとしているので、漏れ磁束が固定子クランパ５に漏れる量は少なく、固定子クランパ５での漏れ磁束による発生損失は減少される。以上のように、シールド板７により固定子クランパ５への磁束侵入時の渦電流損失が低減されるため、固定子端部での固定子クランパ５の発生する熱損失は従来よりも低減することができ、固定子クランパの温度上昇も低減させ、ひいては回転電機の固定子の小型化が可能となる。
【００１２】
実施の形態２．
次にこの発明の実施の形態２を図３に基づいて説明する。この実施の形態２のシールド板７には外縁に凹形状のノッチ１０が設けてある。このノッチ１０を設けたことにより、渦電流が流れにくくなり渦電流損失を低減できる。なおノッチ１０は凹形状を示したがＶ形状でもよく、特に形状にはこだわらなくてよい。
【００１３】
実施の形態３．
次にこの発明の実施の形態３を図４に基づいて説明する。この実施の形態３のシールド板７にはスリット７が設けてある。スリット７を設けることにより、渦電流が流れにくくなり、渦電流損失を低減できる。なお、図４ではスリット７を１本設けた例を示したが、複数本あってもよく、また、外周方向に伸びたスリットを示したが、これに限らず円周方向に伸びたものあるいは、外周方向、円周方向に伸びたスリットの混在するものがあってもよい。
【００１４】
実施の形態４．
次にこの発明の実施の形態４を図５に基づいて説明する。この実施の形態４ではシールド板７と固定子クランパ５を固定する絶縁ボルト１３を締付ボルトと円周方向の間隔の間に複数本設けている。この絶縁ボルト１３にてもシールド板７を固定子クランパ５とに固定するようシールド板７を分割する構造を採用することにより、シールド板７は締付ボルト３の本数に関係なく自由にセグメント数を決めることができるため、図５に示すようにシールド板７の幅Ｂをさらに小さくすることができ、磁束侵入時の渦電流損失を更に低減することができる。また、絶縁材のボルトとしているため、ボルトを介して電流が流れ損失が増加することがない。
【００１５】
実施の形態５．
次にこの発明の実施の形態５を図６に基づいて説明する。図６（ｂ）は図６（ａ）のＡＡ′における断面図である。この実施の形態５の絶縁物８は扇形状体をなし、複数個が円周方向にわたって配置されその上面に内径側から外径側に向かって複数のみぞ１１を設けている。みぞ１１を設けることにより、冷却風Ｆがみぞを流れシールド板７を背面から冷却し、シールド板７の温度上昇を低減することができる。
【００１６】
実施の形態６．
次にこの発明の実施の形態６を図７に基づいて説明する。この実施の形態６ではシールド板７と固定子クランパ５の間に設置した絶縁物を分割構造化した。このような任意の形状の分割構造の絶縁物８ａを設置することにより風路が形成され、冷却風Ｆがシールド板７と固定子クランパ５間を流れるため、シールド板７と固定子クランパ５の温度上昇を低減すると共に、実施の形態５では必要であった絶縁物８のみぞ加工が不要となるため安価なものとなる。
【００１７】
前記実施の形態１において、シールド板は鉄系材料を使用する場合について説明したが、必ずしもこれに限らず、他の材料、例えば銅系材料であってもよい。
また、絶縁物は各種樹脂の積層板を用いてもよく、また布製材であってもよい。
【産業上の利用可能性】
【００１８】
この発明の実施の形態１〜６は、水車発電機等回転電機の固定子構造に適用可能である。
【図面の簡単な説明】
【００１９】
【図１】この発明の実施の形態１の回転電機の固定子端部を示す図である。
【図２】この発明の実施の形態１の回転電機の固定子端部側面図である。
【図３】この発明の実施の形態２のシールド板を示す図である。
【図４】この発明の実施の形態３のシールド板を示す図である。
【図５】この発明の実施の形態４のシールド板を示す図である。
【図６】この発明の実施の形態５の絶縁物を示す図である。
【図７】この発明の実施の形態６の絶縁物を示す図である。
【図８】従来の回転電機の固定子端部を示す図である。
【図９】従来の回転電機の固定子端部側面図である。
【符号の説明】
【００２０】
１  固定子コア、５  固定子クランパ、６  締付ボルト、７  シールド板、
８，８ａ  絶縁物、９  スリット、１０  ノッチ、１１  溝、
１００  回転電機の固定子。
【図１】
2006320100.tif 000003
【図２】
2006320100.tif 000004
【図３】
2006320100.tif 000005
【図４】
2006320100.tif 000006
【図５】
2006320100.tif 000007
【図６】
2006320100.tif 000008
【図７】
2006320100.tif 000009
【図８】
2006320100.tif 000010
【図９】
2006320100.tif 000011